(57)【要約】      （修正有）【課題】使用者が瞬間的にタッチするタッチ方式により、１回で多段階の調整を行えるようにしたリニアタッチスイッチを提供する。【解決手段】ケース２と、回路ユニットと、発光モジュール６とを備える。ケースはタッチ部及び表示部を含む。回路ユニットは誘導回路層で構成され、複数の誘導モードを提供する。第一誘導モードでは、使用者がタッチ体の一端でタッチ部の何れかの位置を第一指定時間持続的にタッチさせ、且つスライドさせると、誘導回路層が複数のエンコード信号を含む信号群を発生させ、且つ前記信号群を１回出力させる。第二誘導モードでは、タッチ体がタッチ部の何れかの位置を第二指定時間持続的にタッチさせ、且つでスライドさせると、誘導回路層が前記スライド位置に基づいて対応するエンコード信号を発生させ、且つ前記対応のエンコード信号が逐一出力される。【選択図】図１
2018191216.tif 000002
【特許請求の範囲】
【請求項１】
タッチ部及び前記タッチ部の一側に近接させる表示部からなり、内部に収容空間が形成されるケースと、
前記収容空間内に設置され、且つケーブルが電気的に接続され、且つ前記タッチ部の下方に対応させる誘導回路層を含み、前記誘導回路層は複数の誘導モードを提供し、且つ少なくとも１つのエンコード信号を発生させるために用いられ、最終製品を制御させるための回路ユニットと、
前記回路ユニットに電気的に接続され、前記表示部に対応するように設置される複数の発光素子を含み、且つ相互に間隔をあけて線形配列を呈し、前記複数の誘導モードに対応させて発光を行う発光モジュールと、を備え、
前記複数の誘導モードは第一誘導モード及び第二誘導モードを含み、
前記第一誘導モードでは、使用者がタッチ体の一端で前記タッチ部の何れかの位置を第一指定時間持続的にタッチさせ、且つ前記タッチ部上でスライドさせると、前記誘導回路層が複数の前記エンコード信号を含む信号群を発生させ、且つ前記信号群を１回出力させるように定義され、前記第二誘導モードでは、前記タッチ体が前記タッチ部の何れかの位置を第二指定時間持続的にタッチさせ、且つ前記タッチ部上でスライドさせると、前記誘導回路層は前記スライド位置に基づいて対応するエンコード信号を発生させ、且つ前記対応するエンコード信号が逐一出力され、これにより前記最終製品が制御され、
前記第二指定時間は前記第一指定時間より長くなるように定義されることを特徴とする、
リニアタッチスイッチ。
【請求項２】
前記発光モジュールは前記第一誘導モードの信号群の複数のエンコード信号に対応させ、対応する数量で順に配列される複数の発光素子を起動させて同時に発光させることを特徴とする、請求項１に記載のリニアタッチスイッチ。
【請求項３】
前記発光モジュールは前記第二誘導モードで逐一出力されるエンコード信号に基づいて、対応する数量の発光素子を起動させて逐一発光させることを特徴とする、請求項１に記載のリニアタッチスイッチ。
【請求項４】
前記ケースは駆動部を更に備え、前記回路ユニットは制動回路層を更に含み、前記タッチ体が前記駆動部をタッチさせると、前記制動回路層が制動信号を発生させ、前記誘導回路層の給電のオンとオフを切り替えることを特徴とする、請求項１に記載のリニアタッチスイッチ。
【請求項５】
前記収容空間内には前記回路ユニットに電気的に接続される振動素子が更に設置され、前記振動素子は前記第一誘導モード及び第二誘導モードに基づいて、第一振動及び第二振動をそれぞれ発生させることを特徴とする、請求項１に記載のリニアタッチスイッチ。
【請求項６】
前記振動素子の第一振動の強度は前記第二振動の強度より強いことを特徴とする、請求項５に記載のリニアタッチスイッチ。
【請求項７】
前記ケースのタッチ部は前記収容空間内に向けて凹むことにより凹型溝が形成され、前記タッチ体に明確なタッチ位置を提供することを特徴とする、請求項１に記載のリニアタッチスイッチ。
【請求項８】
前記第一誘導モードで定義される第一指定時間は０．５秒に等しいかより短いことを特徴とする、請求項１に記載のリニアタッチスイッチ。
【発明の詳細な説明】
【技術分野】
【０００１】
本発明は、タッチスイッチに関し、更に詳しくは、リニア方向にタッチさせ、且つタッチ面上の任意の点をタッチさせ、異なるタッチモードに基づいてタッチ状態を表示させるリニアタッチスイッチに関する。
【背景技術】
【０００２】
大衆消費電子製品、通信装置、家電製品等の電器製品には、調整ノブ形態のスイッチが配置されており、一般的には回路の給電の切り換え、及び給電量の調整に使用される。これにより電器製品の作動時の速度及び強弱、例えば扇風機の風速、クーラーの冷房の強弱、音響機器の音量、電灯の明るさ、無線機器の信号の強弱等が調整される。
【発明の概要】
【発明が解決しようとする課題】
【０００３】
前述のノブスイッチは物理的ターンキャップを設置させて回転させるために使用する。但し、ターンキャップは一定の体積を有し、パネルに設置されるため、電子製品の他の部材の配置に影響が及んだ。
【０００４】
前述の欠点を改善させるため、従来のスイッチをタッチスイッチに徐々に切り換えてゆき、電子製品の部材をより柔軟にレイアウト可能にし、デザイン性を向上させている。
従来のリニアスイッチはタッチモードの制御を主とし、前記スイッチにより制御される段階はスイッチ内の発光素子により表示され、換言すれば、発光素子がタッチ位置に基づいて対応する輝度を発生させている。しかしながら、従来のタッチスイッチのタッチモードはタッチ面でリニア方向にタッチスライドさせると、発光素子がタッチのスライド距離に従って発光させ、且つ使用者が次にタッチする場合、前回タッチした最後の位置に戻ってから制御させねばならないため、非常に不便であった。また、スイッチの最低段を最高段に調整させ、タッチ面の一方の末端からもう一方の末端まで指をスライドさせねばならず、即ち、タッチ面上で全距離を完全にスライドさせねばならず、同様に不便であった。
【０００５】
そこで、本発明者は上記の欠点が改善可能と考え、鋭意検討を重ねた結果、合理的設計で上記の課題を効果的に改善する本発明の提案に到った。
【０００６】
かかる従来の実情に鑑みて、本発明は、使用者が瞬間的にタッチするタッチ方式により、１回で多段階の調整を行えるようにし、従来の多段階調整では逐一タッチスライドさせねばならないという欠点を改善させる、電器製品に用いられるリニアタッチスイッチを提供することを目的とする。
【０００７】
本発明の他の目的は、タッチモードの違いに基づいて、異なる形態の発光を発生させ、調整を行う最終製品の段階の変化を外部から識別可能にする、電器製品に用いられるリニアタッチスイッチを提供することを目的とする。
【課題を解決するための手段】
【０００８】
上述した課題を解決し、上記目的を達成するための、本発明に係るリニアタッチスイッチは、タッチ部及び前記タッチ部の一側に近接させる表示部からなり、内部に収容空間が形成されるケースと、前記収容空間内に設置され、且つケーブルが電気的に接続され、且つ前記タッチ部の下方に対応させる誘導回路層を含み、前記誘導回路層は複数の誘導モードを提供し、且つ少なくとも１つのエンコード信号を発生させるために用いられ、最終製品を制御させるための回路ユニットと、前記回路ユニットに電気的に接続され、前記表示部に対応するように設置される複数の発光素子を含み、且つ相互に間隔をあけて線形配列を呈し、前記複数の誘導モードに対応させて発光を行う発光モジュールとを備え、ここでは、前記複数の誘導モードは第一誘導モード及び第二誘導モードを含み、前記第一誘導モードでは、使用者がタッチ体の一端で前記タッチ部の何れかの位置を第一指定時間持続的にタッチさせ、且つ前記タッチ部上でスライドさせると、前記誘導回路層が複数の前記エンコード信号を含む信号群を発生させ、且つ前記信号群を１回出力させるように定義され、また、前記第二誘導モードでは、前記タッチ体が前記タッチ部の何れかの位置を第二指定時間持続的にタッチさせ、且つ前記タッチ部上でスライドさせると、前記誘導回路層は前記スライド位置に基づいて対応するエンコード信号を発生させ、且つ前記対応するエンコード信号が逐一出力され、これにより前記最終製品が制御され、前記第二指定時間は前記第一指定時間より長くなるように定義されることを特徴とする。
【図面の簡単な説明】
【０００９】
【図１】本発明の好ましい実施形態によるリニアタッチスイッチを示す外観斜視図である。
【図２】図１に示す展開図である。
【図３】本発明のケースを見上げる角度を示す概略図である。
【図４】図１を見下ろす平面図である。
【図５】図４に示す５―５線に沿う断面図である。
【図６】本発明のリニアタッチスイッチ機能を示すブロック図である。
【発明を実施するための形態】
【００１０】
以下に図面を参照して、本発明を実施するための形態について、詳細に説明する。なお、本発明は、以下に説明する実施形態に限定されるものではない。
【実施例】
【００１１】
以下、図１〜６を参照しながら、本発明をさらに詳しく説明する。リニアタッチスイッチ１は、電子製品、電器製品、または照明設備に応用され、最終製品のオンとオフ、及び／或いは製品の様々な機能の制御に用いられ、例えば、明暗の強弱、音量、風速の強弱（扇風機等）、或いは火力の大きさ（ガスコンロ等）の制御に用いられ、多段階の精細な機能の変化を提供する。
【００１２】
図１乃至図３は本発明の好ましい実施形態を示し、本発明に係るリニアタッチスイッチ１は、ケース２と、回路ユニット３と、振動素子４と、発光モジュール６とを備える。
ケース２は長方形を呈し、上蓋２０１及び下蓋２０２が組み合わせられることにより形成され、且つケース２内には収容空間２０が形成される。ケース２の上蓋２０１はタッチ部２１及びタッチ部２１の一側に近接させる表示部２２を含み、且つタッチ部２１と前記ケース２の一端との間には駆動部２３が設置される。この好ましい実施形態では、タッチ部２１は収容空間２０内に向けて凹むことにより凹型溝が形成され、タッチする際の明確なタッチ位置及び範囲を提供する。
【００１３】
この好ましい実施形態では、回路ユニット３は収容空間２０に内設され、回路ユニット３はフレキシブル回路基板であり、且つケーブル３３が電気的に接続され、その一端は電器製品や電子製品等の外部の最終製品（図示せず）に接続される。
回路ユニット３は誘導回路層３１及び制動回路層３２を含む。誘導回路層３１はタッチ部２１の下方に対応させ、複数の誘導モード５を提供し、且つ少なくとも１つのエンコード信号を発生させるために用いられ、これにより前記最終製品のパワーの大きさが制御され、製品の機能の強弱が調整される。制動回路層３２は駆動部２３の下方に位置される。
【００１４】
発光モジュール６は収容空間２０に内設されると共に回路ユニット３に電気的に接続される。発光モジュール６は複数の発光素子６１を備え、ケース２の表示部２に対応するように設置されると共に相互に間隔をあけて線形配列を呈し、前記複数の誘導モード５に対応させて発光させる。即ち、複数の発光素子６１が誘導モード５の違いに基づいて異なる発光モードに切り替わり、発生させる光が表示部２２を透過させて外部に表示される。この好ましい実施形態では、発光素子６１は発光ダイオードである。
【００１５】
本発明に係るリニアタッチスイッチ１は使用において、使用者がタッチ体を使用してケース２のタッチ部２１をタッチさせると、前記誘導回路層３１により感知されることでスイッチの制御の目的を達成させる。この好ましい実施形態では、前述のタッチ体は使用者の指先であり、または他の実施形態においては、前記タッチ体はタッチペンでもよい。ちなみに、誘導回路層３１には線形配列を呈する複数の誘導区３１１が布設され、且つ誘導回路層３１が提供する複数の誘導モード５として第一誘導モード５１及び第二誘導モード５２を含む。
第一誘導モード５１では、使用者が前記タッチ体（即ち、指先）の一端でタッチ部２３の何れかの位置を第一指定時間持続的にタッチさせ、且つ前記凹型溝のタッチ部２３上でスライドさせると、誘導回路層３１が複数のエンコード信号を含む信号群を発生させ、且つ前記信号群が前記最終製品に１回出力され、前記最終製品の機能が制御されるように定義される。この好ましい実施形態では、前記第一指定時間は０．５秒に等しいかより短く、且つ前記信号群は少なくとも４つのエンコード信号を含む。具体的には、前記最終製品が照明である場合、第一誘導モード５１でのタッチに対応させて出力される前記信号群は、前記照明の４段階の輝度を１回で上げ下げさせ、１回の調整によって多段階でパワーを調整させる効果達成させる。よって、タッチ部２１上を長い距離逐一タッチスライドさせる必要はない。
【００１６】
第一誘導モード５１とは相違し、第二誘導モード５２では、前記タッチ体によりタッチ部２３の何れかの位置が第二指定時間持続的にタッチされ、且つ前記タッチ部２３上でスライドさせると、誘導回路層３１が前記スライド位置に基づいて対応するエンコード信号を発生させ、対応する単一のエンコード信号を逐一出力させ、これにより前記最終製品が制御され、前記第二指定時間は０．５秒より長く、即ち、前記第一指定時間より長くなるように定義される。
前記最終製品が照明（図示せず）である場合、第二誘導モード５２でのタッチに対応させ、誘導回路層３１の誘導区３１１はタッチされたスライド位置に基づいて単一のエンコード信号を逐一出力させ、前記照明の輝度を段階的に上げ下げさせる。換言すれば、誘導回路層３１が最初は第三段誘導区３１１に位置され、その後に第二誘導モード５２でのタッチを感知させると、第三段から第六段の誘導区３１１をトリガさせ、誘導回路層３１が３つのエンコード信号を逐一出力させ、これにより前記照明の輝度を段階的に制御させる。
【００１７】
従来の機械式の回転スイッチとは違い、本発明が応用される最終製品は先ず給電可能な最大値に設定され、且つ前記給電最大値が複数の段階に分けられる。例えば、前記最終製品が照明である場合、前記照明の最大パワーが６０ワットであれば、需要に応じて前記最大パワーが複数の段階に分けられ、例えば１０段階に分けられる。
本発明に係るリニアタッチスイッチ１の単一のエンコード信号によりパワーの段階が制御され、段階の切り換えを達成させ、照明の輝度が１段増減される。また、本発明に係るリニアタッチスイッチ１から出力されるエンコード信号はパルス幅変調方式で外部からの電源の給電のオンとオフを切り替え、且つ外部電源の給電量を制御させる。エンコード信号がパルス幅変調方式のデジタル信号であるため、その制御精度は従来の機械式ノブスイッチよりも高くなる。
【００１８】
図１及び図２に示されるように、本発明に係るリニアタッチスイッチ１は誘導モードの制限機能を更に提供し、スイッチが誤作動される事態を回避させる。具体的には、前記タッチ体により前記駆動部２３がタッチされると、制動回路層３２が制動信号を発生させ、誘導回路層３１の給電のオンとオフを切り替える。誘導回路層３１への給電が一旦停止されると、誘導回路層３１がタッチ部２１のタッチを感知不能になるため、感知機能のオフが達成される。駆動部２３が再度タッチされると、感知が再開され、感知機能のオンが達成される。
【００１９】
ちなみに、本発明の複数の発光素子６１の線形配列は、各発光素子６１が段階調整を表示させる。第一誘導モード５１では、発光モジュール６が第一誘導モード５１の信号群の複数のエンコード信号に対応させ、対応する数量で順に配列される複数の発光素子６１を起動させて同時に発光させる。
第二誘導モード５２では、発光モジュール６が第二誘導モード５２で逐一出力されるエンコード信号に対応させ、対応する数量の発光素子を起動させて逐一発光させる。換言すれば、発光モジュール６を発光させる目的は、使用者にスイッチのタッチ状態を識別させるためである。即ち、１回で多段階の調整が行え、または単一的な段階変化により段階的な調整が行える。
また、第一誘導モード５１か第二誘導モード５２かによらず、どちらもタッチ部２１の任意の位置でタッチを開始させることができ、タッチ部２１の当初の発光素子６１に対応させる位置でタッチを開始させる必要がない。換言すれば、タッチ部２１の何れの位置をタッチさせるかによらず、既に発光している発光素子６１に追随するようにして発光させるように段階数が調整される。
【００２０】
スイッチのタッチ状態の識別を更に可能にするために、ケース２の収容空間２０内には回路ユニット３に電気的に接続される振動素子４が更に設置される。振動素子４は第一誘導モード５１及び第二誘導モード５２に基づいて、第一振動及び第二振動をそれぞれ発生させる。第一振動の強度は前記第二振動の強度より強い。
【００２１】
総合すると、本発明に係るリニアタッチスイッチ１は第一誘導モード５１及び第二誘導モード５２でのタッチを感知させることにより、１回での多段階の調整、または単一的な段階変化による段階的な調整をそれぞれ実行させる。このため、より多くの製品に応用されて、１回で多段階のパワーの増減や、パワーを段階的に逐一増減させるように制御させ、従来のリニアスイッチでは逐一段階的に調整させなければならないという欠点を効果的に解決させる。
また、本発明に係る発光モジュール６には複数の誘導モード５が組み合わせられて異なる発光形態を呈し、外部からスイッチのタッチの感知状態が識別可能になる。
【００２２】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００２３】
１      リニアタッチスイッチ
２      ケース
２０    収容空間
２０１  上蓋
２０２  下蓋
２１    タッチ部
２２    表示部
２３    駆動部
３      回路ユニット
３１    誘導回路層
３１１  誘導区
３２    制動回路層
３３    ケーブル
４      振動素子
５      誘導モード
５１    第一誘導モード
５２    第二誘導モード
６      発光モジュール
６１    発光素子
【図１】
2018191216.tif 000003
【図２】
2018191216.tif 000004
【図３】
2018191216.tif 000005
【図４】
2018191216.tif 000006
【図５】
2018191216.tif 000007
【図６】
2018191216.tif 000008
【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
タッチ部及び前記タッチ部の一側に近接させる表示部からなり、内部に収容空間が形成されるケースと、
前記収容空間内に設置され、且つケーブルが電気的に接続され、且つ前記タッチ部の下方に対応させる誘導回路層を含み、前記誘導回路層は複数の誘導モードを提供し、且つ少なくとも１つのエンコード信号を発生させるために用いられ、最終製品を制御させるための回路ユニットと、
前記回路ユニットに電気的に接続され、前記表示部に対応するように設置される複数の発光素子を含み、且つ相互に間隔をあけて線形配列を呈し、前記複数の誘導モードに対応させて発光を行う発光モジュールと、を備え、
前記複数の誘導モードは第一誘導モード及び第二誘導モードを含み、
前記第一誘導モードでは、使用者がタッチ体の一端で前記タッチ部の何れかの位置を第一指定時間持続的にタッチさせ、且つ前記タッチ部上でスライドさせると、前記誘導回路層が複数の前記エンコード信号を含む信号群を発生させ、且つ前記信号群を１回出力させるように定義され、前記第二誘導モードでは、前記タッチ体が前記タッチ部の何れかの位置を第二指定時間持続的にタッチさせ、且つ前記タッチ部上でスライドさせると、前記誘導回路層は前記スライド位置に基づいて対応するエンコード信号を発生させ、且つ前記対応するエンコード信号が逐一出力され、これにより前記最終製品が制御され、
前記第二指定時間は前記第一指定時間より長くなるように定義されることを特徴とする、
リニアタッチスイッチ。
【請求項２】
前記発光モジュールは前記第一誘導モードの信号群の複数のエンコード信号に対応させ、対応する数量で順に配列される複数の発光素子を起動させて同時に発光させることを特徴とする、請求項１に記載のリニアタッチスイッチ。
【請求項３】
前記発光モジュールは前記第二誘導モードで逐一出力されるエンコード信号に基づいて、対応する数量の発光素子を起動させて逐一発光させることを特徴とする、請求項１に記載のリニアタッチスイッチ。
【請求項４】
前記ケースは駆動部を更に備え、前記回路ユニットは制動回路層を更に含み、前記タッチ体が前記駆動部をタッチさせると、前記制動回路層が制動信号を発生させ、前記誘導回路層への給電のオンとオフを切り替えることができ、前記誘導回路層への給電のオフによって、前記誘導回路層が前記タッチ部のタッチを感知不能となり、前記誘導回路層への給電のオンによって、前記誘導回路層が前記タッチ部のタッチの感知を再開することを特徴とする、請求項１に記載のリニアタッチスイッチ。
【請求項５】
前記収容空間内には前記回路ユニットに電気的に接続される振動素子が更に設置され、前記振動素子は前記第一誘導モード及び第二誘導モードに基づいて、第一振動及び第二振動をそれぞれ発生させることを特徴とする、請求項１に記載のリニアタッチスイッチ。
【請求項６】
前記振動素子の第一振動の強度は前記第二振動の強度より強いことを特徴とする、請求項５に記載のリニアタッチスイッチ。
【請求項７】
前記ケースのタッチ部は前記収容空間内に向けて凹むことにより凹型溝が形成され、前記タッチ体に明確なタッチ位置を提供することを特徴とする、請求項１に記載のリニアタッチスイッチ。
【請求項８】
前記第一誘導モードで定義される第一指定時間は０．５秒に等しいかより短いことを特徴とする、請求項１に記載のリニアタッチスイッチ。